(57)【要約】【課題】内容物にできるだけ触れることなく内容物を取り出しやすい包装袋及び包装袋用フィルムシートを提供する。【解決手段】本発明に係る包装袋は、一対のフィルムシートを重ね合わせて周縁を閉じることにより内容物を保持する包装袋であって、一対のフィルムシートのそれぞれのフィルムシートは、外側フィルムと内側フィルムを備えており、一対のフィルムシートの間に剥離促進層を備えることを特徴とする。また、本発明の他の一観点に係る包装袋用フィルムシートは、第一のフィルムと、第二のフィルムと、第一のフィルムと前記第二のフィルムの何れか一方の表面に形成される剥離促進層と、を備えるものである。【選択図】図１
2020007000.tif 000002
【特許請求の範囲】
【請求項１】
一対のフィルムシートを重ね合わせて周縁を閉じることにより内容物を保持する包装袋であって、
前記一対のフィルムシートの間に剥離促進層を備える包装袋。
【請求項２】
前記剥離促進層は、カーボン系素材を含む請求項１記載の包装袋。
【請求項３】
前記剥離促進層は、前記フィルムシートの周縁に形成される請求項１記載の包装袋用フィルムシート。
【請求項４】
第一のフィルムと、
第二のフィルムと、
前記第一のフィルムと前記第二のフィルムの何れか一方の表面に形成される剥離促進層と、を備える包装袋用フィルムシート。
【請求項５】
前記剥離促進層は、カーボン系素材を含む請求項４記載の包装袋用フィルムシート。
【請求項６】
前記剥離促進層は、前記フィルムシートの周縁に形成される請求項４記載の包装袋用フィルムシート。
【発明の詳細な説明】
【技術分野】
【０００１】
本発明は包装袋及びこれに用いられる包装袋用フィルムシートに関する。
【背景技術】
【０００２】
近年、販売される食品の中身を安定的に保持するものとしてフィルムシートから構成される包装袋が用いられてきている。この包装袋はフィルムシートによって構成されているため柔軟かつ軽量で持ち運びや保存が便利であり、非常に重宝されている。特に近年、コンビニエンスストアやスーパー等において、ケーキ等の柔らかい菓子類に対しても包装袋が用いられてきている。
【０００３】
ところが、一般に、フィルムシートから構成される包装用袋は柔らかく形状が変化しやすいため、内容物を袋から取り出そうとする場合に、内容物に接触してしまう結果、内容物の形が損なわれてしまうおそれがある。また、フィルムシートが強固に接着されている場合、内容物を取り出そうとして力を強く加える場合はこのおそれが強くなる。具体的に説明すると、例えばエクレア等の菓子の周囲にチョコレート等が使われている場合、この包装袋の内部にチョコレートが接触して付着すると、菓子の見た目が崩れてしまうといった問題が生じる。この付着の問題は包装袋から菓子を取り出す際において顕著に生じうる。
【０００４】
なお、包装袋に関する技術としては、例えば下記特許文献１に、電子レンジで蒸気抜きをすることのできる包装袋が開示されている。
【先行技術文献】
【特許文献】
【０００５】
【特許文献１】特開２０１７−２１８１８０号公報
【発明の概要】
【発明が解決しようとする課題】
【０００６】
しかしながら、上記特許文献１に記載の技術は、あくまで電子レンジで蒸気抜きをするための包装袋であり、そのまま上記言及する課題を解決することができるものではない。
【０００７】
そこで、本発明は上記課題に鑑み、内容物にできるだけ触れることなく内容物を取り出しやすい包装袋及び包装袋用フィルムシートを提供することを目的とする。
【課題を解決するための手段】
【０００８】
上記課題を解決する本発明の一観点に係る包装袋は、一対のフィルムシートを重ね合わせて周縁を閉じることにより内容物を保持する包装袋であって、一対のフィルムシートのそれぞれのフィルムシートは、外側フィルムと内側フィルムを備えており、一対のフィルムシートの間に剥離促進層を備えるものである。
【０００９】
また、本発明の他の一観点に係る包装袋用フィルムシートは、第一のフィルムと、第二のフィルムと、第一のフィルムと前記第二のフィルムの何れか一方の表面に形成される剥離促進層と、を備えるものである。
【発明の効果】
【００１０】
以上、本発明によって、内容物にできるだけ触れることなく内容物を取り出しやすい包装袋及び包装袋用フィルムシートを提供することができる。
【図面の簡単な説明】
【００１１】
【図１】実施形態に係る包装袋（密封前）の概略を示す図である。
【図２】実施形態に係る包装袋の一辺近傍の断面の概略図である。
【図３】実施形態に係る包装袋（密封後）の概略を示す図である。
【図４】実施形態に係る包装袋用フィルムシートの概略図である。
【図５】実施形態に係る包装袋用フィルムシートの一辺近傍の断面の概略図である。
【図６】実施形態に係る包装袋用フィルムシートの概略図である。
【図７】実施形態の他の例に係る包装袋用フィルムシートの一辺近傍の断面の概略図である。
【図８】実施形態の他の例に係る包装袋用フィルムシートを袋にする場合のイメージ図である。
【図９】実施形態の他の例に係る包装袋用フィルムシートの斜視概略図である。
【図１０】実施形態の他の例に係る包装袋用フィルムシートを袋にする場合のイメージ図である。
【発明を実施するための最良の形態】
【００１２】
以下、本発明の実施形態について図面を用いて詳細に説明する。ただし、本発明は多くの異なる形態による実施が可能であり、以下に示す実施形態、実施例における例示的記載に限定されるわけではない。
【００１３】
図１は本実施形態に係る包装袋（以下「本包装袋」という。）１の概略（密封前）を示す図であり、図２は、本包装袋１の一辺近傍（図１中のＡ−Ａ’断面）における接着領域近傍の断面の概略を示す図である。これらの図で示すように、本包装袋１は、一対のフィルムシート２、３を重ね合わせて周縁を閉じることにより内容物を保持することのできる包装袋であって、一方のフィルムシート２及びと他方のフィルムシート３の間に配置される剥離促進層４と、を備えている。
【００１４】
本包装袋１における一対のフィルムシート２、３は、上記の通り一対となっており、周縁を綴じて接着領域とすることにより食べ物等の内容を保持することのできるものである。なお、内容物を入れる前は、少なくとも一辺は開放されていることが好ましい。このようにすれば、内容物を入れやすくなるとともに、内容物を入れた後、この一辺を閉じることで密封保持することが可能となる。密封した場合のイメージ図を図３に示しておく。
【００１５】
本包装袋１における一方のフィルムシート２は、限定されるわけではないが外側フィルム２１と、内側フィルム２２と、を備えている。外側フィルム２１と内側フィルム２２とは、周縁において圧着され一体に構成されている。
【００１６】
本包装袋１における一方のフィルムシート２の内側フィルム２２は、他方のフィルムシート３と熱等を用いて圧着することができるよう、熱可塑性を有するフィルムシートであることが好ましく、例えば低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸又はその無水物でグラフト変性されたオレフィン樹脂等のオレフィン系樹脂、比較的低融点又は低軟化点のナイロン等のポリアミド樹脂又はコポリアミド樹脂、ポリエステル樹脂、コポリエステル樹脂、ポリカーボネイト樹脂等を例示することができる。
【００１７】
また本包装袋１における一方のフィルムシート２の内側フィルム２２の厚さとしては、内容物を安定的に密封することができる限りにおいて特に制限されず、例えば３０μｍ以上２ｍｍ以下であることが好ましい。
【００１８】
また本包装袋１における一方のフィルムシート２の外側フィルム２１は、包装対象物を保護することができ、また内側フィルム２２との間に下記で示すように中間層を保持することができる限りにおいて限定されるわけではなく、例えば上記の熱可塑性を有するフィルムシートにて例示したものを用いることができるが、さらに、空気や水分が抜けてしまわないようバリア性を備えているものであることはより好ましい。
【００１９】
また本包装袋１の一方のフィルムシート２の外側フィルム２１及び内側フィルム２２の間には、インク等を含むインク層２３を有していることも好ましい。インク層２３を備えることで、包装袋に印刷を行い使用者に内容物等についての情報提示を行うことができるようになるとともに見た目が良くなる。また、剥離促進層３の位置にインク層２３を重畳させることでこの剥離促進層３を目立たなくさせることもできる。この場合のイメージを図４、その一断面（図中のＡ−Ａ’）を図５に示しておく。
【００２０】
また本包装袋１における他方のフィルムシート３は、上記一方のフィルムシート２と対となるよう配置されるフィルムシートであって、上記一方のフィルムシート２で例示する材料と同様の材料を用いて構成を採用することができる。上記一方のフィルムシート２では複数のフィルムが積層された構造となっており、他方のフィルムシート３も同様の二層以上の構成であることが好ましいが、他方のフィルムシート３も一層構造であっても良い。
【００２１】
また本包装袋１では、上記の通り、一対のフィルムシート２、３の間に剥離促進層４を備えており、使用者は、この剥離促進層４によって簡単に袋に収納される物を取り出すことができる。
【００２２】
また本包装袋１において、剥離促進層４は、一対のフィルムシート間の接着領域と、非接着領域の一部に跨って形成されていることも好ましい。このようにすることで、剥離促進層４が不足して接着領域が直接他方のフィルムシートに強固にくっつくことによって剥がれにくくなることを防止し、確実に剥がしやすくできる。なおこの接着領域は用途によって異なるが辺の端から５ｍｍ以上３ｃｍ以下の幅を備えていることが好ましい。
【００２３】
したがって、上記の観点から、剥離促進層４は、本包装袋１の辺に接している一方、非接着領域にもまたがっていることが好ましい。また、剥離促進層４は、本包装袋１の接着された辺全長に接していることが好ましい。このようにすることで、剥離促進層４が形成されていない部分で剥離しにくい部分を残すことで内容物を取り出しにくくするおそれを少なくできる。なお、剥離促進層４は、接着される辺すべてに形成されていることが好ましいが、少なくとも対向する二辺に形成されていれば、剥がしやすくできる効果がある。
【００２４】
本包装袋１において、フィルムシート２、３の間に設けられる剥離促進層４は、包装用袋をつまんで開こうとする場合に、剥離が開始される部分となり、この結果、非常に少ない力で袋を開くことが可能となる。すなわち内容物は確実かつ安定に収容することができる一方でフィルム間の接着力を弱めた層となっている。
【００２５】
また本包装袋１における一方のフィルムシート２の剥離促進層２３は、上記の機能及び後述の機能効果を奏することができる限りにおいて限定されるわけではないが、例えばカーボン系素材等からなる微小な粒子をインク等の染料に混入させた例示することができるがこれに限定されない。このようにカーボン系素材等の微小な粒子を混入させることでフィルム間の剥離を促進することができる。
【００２６】
以上、本発明によって、内容物にできるだけ触れることなく内容物を取り出しやすい包装袋及び包装袋用フィルムシートを提供することができる。
【００２７】
なお、上記の例では、本包装用袋１について、一辺が開放され残りの辺が接着された状態となっている例を用いて示したが、この前の形状として、包装用フィルムシートとして市場に流通することもある。この場合の一例を図６、図７に示しておく。なお図６は、包装用フィルムシートの斜視概略を示す図であり、図７は、その一辺近傍の断面概略図である。
【００２８】
本図で示す包装袋用フィルムシート２は、図面からも明らかであるが、上記一方のフィルムシートの構成を備えたものであり、具体的には、第一のフィルム（外側フィルム２１）と、第二のフィルム（内側フィルム２２）と、を備えており、その周辺に、剥離促進層４が形成されている。
【００２９】
本包装袋用フィルムシートは、上記の内側フィルム２と外側フィルム３が一枚のシートとして形成されたものとなっている。すなわち、上記図２等の例では一辺のみが開放されているが、上記図の例では一辺のみが閉じている（折り曲げ部となっている）。すなわち、本包装用フィルムシートは辺を閉じる動作と内容物を入れる動作をほぼ同時に行うことができる。すなわち、簡単な構造のフィルムシートとなっているため、従来の製造装置の工程にも組み込むことが可能となる。図８に、本包装袋用フィルムシートを用いた内容物の密封方法のイメージについて示しておく。
【００３０】
また、上記とは別の包装用フィルムシートの形態の例について図９、図１０に示しておく。なお図９は、包装用フィルムシートの斜視概略を示す図であり、図１０は、包装時における概略図である。
【００３１】
本図で示す包装袋用フィルムシート２は、図面からも明らかであるが、上記一方のフィルムシートの構成を備えたものであり、具体的には、第一のフィルム（外側フィルム２１）と、第二のフィルム（内側フィルム２２）と、を備えたフィルムシートであり、その周りの辺に、剥離促進層４が形成されている。より具体的には、対向する一対の辺の中央近傍（一部）それぞれに剥離促進層４を備えるとともに、この一対の辺とは異なる他の一対の辺の一方の辺全体に剥離促進層４が設けられている。このようにすることで、図１０で示すように、対応する辺同士を合わせることでつまみ部を形成して筒状にし、内容物を収納した後、残りの一対の辺を圧着などによって接着し、密封することが可能となる。
【実施例】
【００３２】
ここで、上記実施形態に記載の包装用袋に関し、実際にその作製を行いその効果を確認した。以下具体的に説明する。
【００３３】
本図では、ナイロンからなり縦２００ｍｍ×横２１５ｍｍ、厚さ１５μｍの外側フィルムと、ポリエチレンからなり縦２００ｍｍ×２１５ｍｍ、厚さ５０μｍの内側フィルムを一対のフィルムシートそれぞれに採用し、一方のフィルムシートの周縁の辺全てにカーボン系素材を含む剥離促進層（幅横２ｃｍ、厚さ１０μｍ）で形成した。
【００３４】
そして、上記図１のように一辺を除いて圧着して張り合わせ、内容物を収納させ、残る一辺も閉じて密封した。
【００３５】
その後、本包装の一対のフィルムシートそれぞれの一部を摘まみ、引っ張ったところ、何も形成していないものよりも簡便に開くことができ、さらに安定的に内容物を取り出すことができた。
【産業上の利用可能性】
【００３６】
本発明は、包装用袋及び包装袋用フィルムシートとして産業上の利用可能性がある。
【図１】
2020007000.tif 000003
【図２】
2020007000.tif 000004
【図３】
2020007000.tif 000005
【図４】
2020007000.tif 000006
【図５】
2020007000.tif 000007
【図６】
2020007000.tif 000008
【図７】
2020007000.tif 000009
【図８】
2020007000.tif 000010
【図９】
2020007000.tif 000011
【図１０】
2020007000.tif 000012